(57)【要約】  頭皮ケア装置（１）は、把持部（本体部）（３）と頭皮刺激部（２）とを備えている。把持部（３）は、イオン供給部（微小粒子発生部）（７５）と、イオン供給部（７５）から発生したイオンなどの微小粒子を放出する吹き出し口（送出口）（３５）とを有している。頭皮刺激部（２）は、把持部（３）から突出し、施術箇所に接触する当接部（球状接触部（４２）、接触面（４３））を有している。この頭皮ケア装置（１）において、吹き出し口（３５）からの微小粒子の送出速度は、１２ｍ／秒以下となっている。また、吹き出し口（３５）は、微小粒子が頭皮刺激部２の当接部へ向かって送出されるように構成されている。
2020031823.tif 000002
【特許請求の範囲】
【請求項１】
微小粒子発生部と、前記微小粒子発生部から発生した微小粒子を放出する送出口とを有する本体部と、
前記本体部から突出し、かつ、施術箇所に接触する当接部を有する頭部刺激部と
を備え、
前記送出口からの前記微小粒子の送出速度が、１２ｍ／秒以下であり、
前記送出口は、前記微小粒子が前記当接部へ向かって送出されるように構成されている、頭皮ケア装置。
【請求項２】
前記送出口は、前記微小粒子の送出方向に対する直交面に対して傾斜している、請求項１に記載の頭皮ケア装置。
【請求項３】
前記送出口は、前記微小粒子の送出方向に向かって滑らかな曲面形状を有している、請求項１または２に記載の頭皮ケア装置。
【請求項４】
前記微小粒子発生部を制御する制御部をさらに備えており、
前記本体部において、前記頭部刺激部が接続されている側を第１側とし、前記第１側に対向する側を第２側とすると、
前記制御部は、前記第１側に配置されており、前記送出口は、前記第２側に配置されている、
請求項１から３の何れか１項に記載の頭皮ケア装置。
【請求項５】
前記本体部は、吸気口を有しており、
前記吸気口は、前記頭皮ケア装置の載置時に載置面によって塞がれないような位置に設けられている、請求項１から４の何れか１項に記載の頭皮ケア装置。
【請求項６】
前記微小粒子発生部を制御する制御部と、
前記制御部へ電気を供給する電源部と
をさらに備えており、
前記本体部に設けられた吸気口から前記本体部内へ入った空気は、前記制御部および前記電源部の少なくとも何れかに沿って前記送出口の方へ送出される、
請求項１から５の何れか１項に記載の頭皮ケア装置。
【請求項７】
前記送出口を分割する壁部が設けられている、
請求項１から６の何れか１項に記載の頭皮ケア装置。
【請求項８】
ファンをさらに備えている、請求項１から７の何れか１項に記載の頭皮ケア装置。
【請求項９】
前記送出口からの前記微小粒子の送出速度は、４ｍ／秒以上６ｍ／秒以下である、請求項１から８の何れか１項に記載の頭皮ケア装置。
【発明の詳細な説明】
【技術分野】
【０００１】
本発明は、頭皮ケア装置に関する。
【背景技術】
【０００２】
近年のヘアドライヤには、温風を吐出して髪の乾燥やセットを行うだけでなく、イオンを含んだ風を送風することにより毛髪および頭皮のケア機能を備えているものがある。このようなケア機能を有するヘアドライヤは、頭皮ケア装置とも呼ばれる。また、ドライヤの機能を有することなく、イオンを含んだ風を送りながら、弾性を有する突起を頭皮または毛髪に当接させてマッサージを行う頭皮ケア装置も提案されている。【０００３】
例えば、特許文献１には、ヘアドライヤのハウジング１に対して着脱可能なカバー体３が開示されている。カバー体３は、使用者の頭部の一部を覆うようにして使用される。【０００４】
また、カバー体３は、風路内に、使用者の頭部を刺激するための頭部刺激体３３を備えている。頭部刺激体３３は、指を模した複数の棒状体３３１を有している。ヘアドライヤを使用した場合、棒状体３３１は使用者の頭部に接触する。【０００５】
また、特許文献１に開示されたヘアドライヤは、空気中に空気イオン（帯電粒子）を発生させるイオン発生ユニット（帯電粒子発生部）１６を備えている。これにより、ヘアドライヤは、空気イオンを含んだ空気を放出させることができる。空気イオンを含んだ空気が使用者の頭部に当たることによって、頭髪および頭皮の環境を改善することができる。
【先行技術文献】
【特許文献】
【０００６】
【特許文献１】特開２０１７−１６９６１４号公報
【発明の概要】
【発明が解決しようとする課題】
【０００７】
空気とともにイオンなどの有効成分を放出させることのできる頭皮ケア装置においては、有効成分をより効率的に頭部へ供給することが望まれる。【０００８】
そこで、本発明では、イオンなどの微小粒子をより効率的に使用者の頭部に供給することのできる頭皮ケア装置を提供する。
【課題を解決するための手段】
【０００９】
本発明の一局面にかかる頭皮ケア装置は、微小粒子発生部と、前記微小粒子発生部から発生した微小粒子を放出する送出口とを有する本体部と、前記本体部から突出し、かつ、施術箇所に接触する当接部を有する頭部刺激部とを備えている。この頭皮ケア装置において、前記送出口からの前記微小粒子の送出速度は、１２ｍ／秒以下となっている。また、前記送出口は、前記微小粒子が前記当接部へ向かって送出されるように構成されている。
【発明の効果】
【００１０】
本発明の一局面にかかる頭皮ケア装置によれば、微小粒子をより効率的に使用者の頭部に供給することのできる頭皮ケア装置を提供することができる。
【図面の簡単な説明】
【００１１】
【図１】本発明の一実施形態にかかる頭皮ケア装置の外観構成を示す斜視図である。
【図２】図１に示す頭皮ケア装置を別の方向から見た場合の外観を示す斜視図である。
【図３】図１に示す頭皮ケア装置の構成を示す断面図である。
【図４】図１に示す頭皮ケア装置の構成を示す断面図である。
【図５】図１に示す頭皮ケア装置を下方から見た場合の外観を示す平面図である。
【図６】図１に示す頭皮ケア装置の内部構成を示すブロック図である。
【図７】図１に示す頭皮ケア装置の先端を施術箇所へ当接させたときの吹き出し口の配置位置を示す側面模式図である。
【図８】図１に示す頭皮ケア装置の先端を施術箇所へ当接させたときの吹き出し口の配置位置を示す正面模式図である。
【図９】図１に示す頭皮ケア装置を平面上に置いたときの状態を示す側面図である。
【図１０】図１に示す頭皮ケア装置内の空気の流れを示す断面模式図である。
【図１１】第２の実施形態にかかる頭皮ケア装置の内部構成を示す断面模式図である。
【図１２】第２の実施形態にかかる頭皮ケア装置の内部構成を示すブロック図である。
【図１３】第３の実施形態にかかる頭皮ケア装置の内部構成を示すブロック図である。
【発明を実施するための形態】
【００１２】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１３】
＜第１の実施形態＞
本実施形態では、頭皮を刺激するための突起（頭部刺激部）を有する頭皮ケア装置を例に挙げて説明する。本実施形態にかかる頭皮ケア装置は、頭皮をマッサージしたりイオンを供給したりすることによって頭皮環境を整えるなどの用途に用いられる。
【００１４】
（頭皮ケア装置の全体構成）
先ず、本実施の形態にかかる頭皮ケア装置１の全体構成について、図１から図６を用いて説明する。
【００１５】
図１は、頭皮ケア装置１を下方（Ｙ２側）から見た状態を示す斜視図である。図２は、頭皮ケア装置１を前方側（Ｚ１側）から見たときの状態を示す斜視図である。図３は、頭皮ケア装置１をＹＺ平面で切断したときの把持部３の内部構成を示す断面図である。図４は、頭皮ケア装置１をＸＺ平面で切断したときの把持部３の内部構成を示す断面図である。図５は、頭皮ケア装置１を下方（Ｙ２側）から見た状態を示す平面図である。図６は、頭皮ケア装置１の内部構成を示すブロック図である。
【００１６】
図１に示すように、頭皮ケア装置１は、主として、頭部刺激部２と、把持部（本体部）３とで構成されている。頭部刺激部２は、把持部３の先端部に取り付けて使用される。頭部刺激部２は、把持部３から取り外し可能に構成されていてもよいし、取り外し不可能な状態で把持部３に連結されていてもよい。
【００１７】
本明細書では、頭皮ケア装置１の各構成要素の形状および位置関係などを説明するにあたって、便宜上、頭皮ケア装置１を図１および図２などに示すようなＸ１−Ｘ２方向（幅方向）、Ｙ１−Ｙ２方向（上下方向）、Ｚ１−Ｚ２方向（前後方向）という三方向の座標軸で規定する。
【００１８】
本実施形態にかかる頭皮ケア装置１は、コードレスタイプであり、内部に一次電池または二次電池を備えている。把持部３の後端部（Ｚ２側）には、充電端子３８が設けられている。
【００１９】
頭部刺激部２は、左右対称の２つの部材（すなわち、右側部材２ａおよび左側部材２ｂ）で構成されている。右側部材２ａおよび左側部材２ｂは、把持部３の先端部分に幅方向（Ｘ方向）に並んで取り付けられている。
【００２０】
頭皮ケア装置１の前方側（Ｚ１側）から見て右側（Ｘ１側）に位置する右側部材２ａは、付け根部３４と、複数（本実施形態では、３本）の棒状部材（棒状部材４１ａを２本、および４１ｂを１本）とを有している。頭皮ケア装置１の前方側（Ｚ１側）から見て左側（Ｘ２側）に位置する左側部材２ｂは、付け根部３４と、複数（本実施形態では、３本）の棒状部材（棒状部材４１ａを２本、および４１ｂを１本）とを有している。
【００２１】
このように、頭部刺激部２を構成する右側部材２ａおよび左側部材２ｂは、付け根部３４と、付け根部３４から突出する複数の棒状部材４１ａおよび４１ｂとをそれぞれ有しており、人の手で頭皮マッサージを行うときの手指の形を模したような形状となっている。
【００２２】
各付け根部３４・３４は、把持部３の先端部（Ｚ１側）に取り付けられている。各付け根部３４・３４は、把持部３からユーザが取り外し可能に構成されていてもよいし、ユーザが取り外しできないように連結されていてもよい。
【００２３】
本実施形態では、各付け根部３４・３４は、把持部３の一側面から前方側（Ｚ１側）へ延びるように、把持部３に接続されている。なお、把持部３において、付け根部３４が接続されている側を上側（Ｙ１側、第１側）とし、この上側に対向する側を下側（Ｙ２側、第２側）とする。
【００２４】
付け根部３４は、弾性を有している。具体的には、付け根部３４は、例えば、ポリプロピレン（ＰＰ）、ポリスチレン（ＰＳ）、アクリルニトリルブタジエンスチレン（ＡＢＳ）、ポリエチレン（ＰＥ）、ナイロン(ＰＡ)などの弾性を有する樹脂材料で形成されている。
【００２５】
また、付け根部３４は、把持部３との接続位置を基点として上下方向（Ｙ方向）および左右方向（Ｘ方向）にある程度の可動性を有していてもよい。これにより、頭部刺激部２の先端部が頭皮へ接触したときの衝撃を和らげ、ユーザが感じる頭皮の感触をより良好なものにすることができる。
【００２６】
各棒状部材４１ａおよび４１ｂの先端には、頭皮ケア装置１の使用時（施術時）にユーザの頭皮または毛髪（施術箇所）と接触する当接部が設けられている。具体的には、棒状部材４１ａの先端には、球状接触部４２が設けられている。また、棒状部材４１ｂの先端は、接触面４３が設けられている。
【００２７】
球状接触部４２は、マッチ棒の先端のように、他の部分と比較して、やや膨らんだ球形状となっている。これにより、施術時の頭皮に対する接触部の接触面積を拡張することができる。そして、頭部刺激部２が頭皮へ接触したときの頭皮の感触をより良好なものにすることができる。また、接触面４３は、頭部刺激部２が頭皮へ接触した状態で把持部３を上下方向（Ｙ方向）に動かしたときに、他の棒状部材４１ａの支点として機能するように、頭皮にフィットしやすい形状となっている。
【００２８】
ここで、施術箇所とは、ユーザの頭部（具体的には、頭皮または毛髪など）の一部分であって、頭皮ケア装置１を用いて重点的にケアされる場所のことを意味する。例えば、頭皮ケア装置１の使用時に、各棒状部材４１ａおよび４１ｂの先端部が当接する頭皮および毛髪の箇所周辺（具体的には、各棒状部材４１ａおよび４１ｂで囲われた領域）が施術箇所に相当する。なお、頭皮ケア装置１の使用時、ユーザは、頭皮または毛髪に対して頭皮ケア装置１を移動させながらケア（施術）を行う。したがって、施術箇所は順次移動する。
【００２９】
なお、本実施形態にかかる頭皮ケア装置１の頭部刺激部２は、２種類の棒状部材（すなわち、第１棒状部材４１ａおよび第２棒状部材４１ｂ）を有している。
【００３０】
具体的には、頭部刺激部２の先端部側（Ｚ１側）から見て右側（Ｘ１側）に位置する右側部材２ａは、付け根部３４と、付け根部３４から突出する３本の棒状部材とを有している。本実施形態では、３本の棒状部材のうち、２本が第１棒状部材４１ａであり、１本が第２棒状部材４１ｂである。３本の棒状部材のうち、２本の第１棒状部材４１ａは、１本の第２棒状部材４１ｂの外側（図１および図２では、Ｘ１側）に配置されている。
【００３１】
また、頭部刺激部２の先端部側（Ｚ１側）から見て左側（Ｘ２側）に位置する左側部材２ｂは、付け根部３４と、付け根部３４から突出する３本の棒状部材とを有している。右側部材２ａと同様に、本実施形態では、３本の棒状部材のうち、２本が第１棒状部材４１ａであり、１本が第２棒状部材４１ｂである。３本の棒状部材のうち、２本の第１棒状部材４１ａは、１本の第２棒状部材４１ｂの外側（図１および図２では、Ｘ２側）に配置されている。
【００３２】
第１棒状部材４１ａは、先端部に球状接触部４２を有している。球状接触部４２は、第１棒状部材４１ａの本体部分よりも熱伝導率が高くなっている。すなわち、球状接触部４２は、第１棒状部材４１ａの本体部分よりも熱伝導率の高い材料で形成されている。
【００３３】
第１棒状部材４１ａの本体部分は、例えば、ポリプロピレン（ＰＰ）、ポリスチレン（ＰＳ）、アクリルニトリルブタジエンスチレン（ＡＢＳ）、ポリエチレン（ＰＥ）、ナイロン(ＰＡ)などの樹脂材料などで主に形成されている。第１棒状部材４１ａの本体部分は、付け根部３４と同じ材料で、一体的に形成されていてもよい。
【００３４】
球状接触部４２は、第１棒状部材４１ａの本体部分と比較して熱伝導率の高い材料で主に形成されている。このような材料としては、例えば、鉄、ニッケル、チタン、ステンレス、銅などの金属材料（合金材料を含む）などが挙げられる。
【００３５】
また、球状接触部４２は、鉄などの金属で形成されたボール（球状体）の表面に、ニッケルのメッキが施されたものであってもよい。あるいは、球状接触部４２は、鉄などの金属で形成されたボール（球状体）の表面に、チタン蒸着が施されたものであってもよい。
【００３６】
図４に示すように、球状接触部４２は、第１棒状部材４１ａの先端部に埋め込まれるように取り付けられている。第１棒状部材４１ａの本体部分は、球状接触部４２と比較して柔らかい材料で形成されている。これにより、頭部刺激部２が施術箇所に当たったときの感触を和らげ、使用時の快適性を向上させることができる。
【００３７】
また、球状接触部４２は、可動部材であってもよい。すなわち、球状接触部４２は、第１棒状部材４１ａの本体部分（第１の部材）に対して、例えば回転可能に取り付けられていてもよい。
【００３８】
なお、上述した第１棒状部材４１ａおよび第２棒状部材４１ｂの数および配置の方法は一例であり、本発明の別の態様では、他の数および配置方法も可能である。また、本実施形態では、第１棒状部材４１ａの先端に球状の当接部が設けられている例について説明しているが、これは本発明の一例である。本発明の別の態様では、第１棒状部材４１ａは、球状以外の形状（例えば、多角形体）の当接部を有していてもよい。
【００３９】
把持部３は、図１に示すように、Ｚ方向に延びる略円柱形状の部材である。把持部３の外形は、主として、プラスチックなどで形成された筐体で構成されている。
【００４０】
把持部３には、その長手方向（Ｚ方向）の後方側（Ｚ２側）の下面側（Ｙ２側）に、空気の吸い込み口（吸気口）３１が設けられ、前方側（Ｚ１側）の端部に、風の吹き出し口（送出口）３５が設けられている。
【００４１】
図３に示すように、把持部３の一側面（図３では、上側面（Ｙ１側の側面））には、操作部２１が設けられている。頭皮ケア装置１の使用時に、ユーザが操作部２１を操作することで、頭皮ケア装置１が動作を開始したり停止したりする。
【００４２】
図３および図６に示すように、把持部３内には、制御部７１、ファン７２、イオン供給部（微小粒子発生部）７５、バッテリ７６、および送風路３２などが備えられている。また、把持部３の外周面には、操作部２１、充電端子３８などが備えられている。
【００４３】
制御部７１は、電子回路基板などで構成されている。制御部７１は、操作部２１で操作された内容に応じて、ファン７２、およびイオン供給部７５などの動作を制御する。制御部７１内には、タイマ８１、メモリ８２などが設けられている（図６参照）。
【００４４】
タイマ８１は、時計の機能を有しており、必要に応じて、制御部７１内で行われる処理の時間、頭皮ケア装置１内の各構成部材の動作時間などを計測する。タイマ８１が設けられていることで、頭皮ケア装置１の稼働時間を計測することができる。
【００４５】
メモリ８２は、ＲＯＭ（read only memory）及びＲＡＭ（Random Access Memory）を含む。メモリ８２は、頭皮ケア装置１の動作プログラムや設定データを記憶するとともに制御部７１による演算結果を一時記憶する。
【００４６】
ファン７２は、例えば、シロッコファン、プロペラファンなどで構成される。ファン７２は、モータと連結されている。頭皮ケア装置１の稼働時、モータの駆動力によってファン７２が回転する。これにより、把持部３内の送風路３２で、吸い込み口３１から吹き出し口３５へと向かう空気の流れが形成される。
【００４７】
イオン供給部７５は、吹き出し口３５の近傍に配置されている。
【００４８】
イオン供給部７５は、正（＋）イオン（例えば、Ｈ＋（Ｈ２Ｏ）ｍ（ｍは任意の自然数））および負（−）イオン（例えば、Ｏ２−（Ｈ２Ｏ）ｎ（ｎは任意の自然数））の少なくとも何れかを発生させる。把持部３にイオン供給部７５が備えられていることで、把持部３から吹き出す風にイオンを含有させることができる。把持部３から吹き出す風にイオンが含まれていることで、施術される頭皮のうるおいを保つなど、頭皮環境を整えることができる。また、施術される毛髪のうるおいをキープしたり、キューティクルを引き締めたりして毛髪のダメージを抑え、トリートメント効果を得ることができる。
【００４９】
なお、本発明の一態様の頭皮ケア装置に備えられる微小粒子発生部は、イオン供給部に限定されるものではなく、放電により、イオン、電子、オゾン、ラジカル、活性種などを発生させる放電装置であってもよい。また、微小粒子発生部がイオンを発生させる場合は、正イオンと負イオンの両方を発生させる構成であっても、正イオンあるいは負イオンの何れか一方を発生させる構成であってもよい。
【００５０】
図２に示すように、イオン供給部７５は、正イオンを放出する正イオン発生部７５ａと負イオンを放出する負イオン発生部７５ｂとを有している。正イオン発生部７５ａおよび負イオン発生部７５ｂは、吹き出し口３５の手前に配置された針状の部材である。
【００５１】
また、吹き出し口３５の手前には、リブ（壁部）３６が設けられている。図４に示すように、リブ３６は、吹き出し口３５を２つの領域に分割するように配置されている。正イオン発生部７５ａと負イオン発生部７５ｂとは、リブ３６によって隔てられている。すなわち、リブ３６を間に挟んで分割された２つの領域の何れか一方に正イオン発生部７５ａが配置され、他方に負イオン発生部７５ｂが配置されている。
【００５２】
このようなリブ３６が設けられていることで、正イオン発生部７５ａから放出される正イオンと、負イオン発生部７５ｂから放出される負イオンとが、リブ３６によって分割された各吹き出し口３５からそれぞれ放出されるようにすることができる。これにより、正イオンと負イオンとが吹き出し口３５の内部で互いに近接し、正負が打ち消し合ってイオンが消失することを抑制することができる。
【００５３】
また、リブ３６が設けられていることで、吹き出し口３５の内部へユーザの手などが入る込むことを防ぐことができる。これにより、高電圧となる可能性のあるイオン供給部７５にユーザの手などが接触することを抑えることができる。
【００５４】
バッテリ７６は、頭皮ケア装置１の電源部となる。バッテリ７６には、充電端子３８を介して外部から電気が供給され、充電される。
【００５５】
送風路３２は、ファン７２によって作り出された空気の流れ（風）の通り道となる。送風路３２は、把持部３内の下面（すなわち、Ｙ２側の面）に沿うようにして形成されている。送風路３２の最上流には、吸い込み口３１が設けられており、送風路３２の最下流には、吹き出し口３５が設けられている。吸い込み口３１、送風路３２、および吹き出し口３５の詳細な構成については後述する。
【００５６】
操作部２１は、把持部３の上面側（Ｙ１側）に配置されている。操作部２１は、ユーザによって操作される。操作部２１における操作情報は、制御部７１へ送信される。
【００５７】
充電端子３８は、把持部３の後端部（Ｚ２側）に配置されている。充電端子に３８には、充電用ケーブル４のコネクタ４ａが連結される（図１など参照）。これにより、把持部３内の二次電池（すなわち、バッテリ７６）へ電気を供給することができる。なお、本発明の別の態様では、頭皮ケア装置１は、電源コードを有していてもよい。
【００５８】
（送風路の構成について）
続いて、把持部３内の送風路３２のより具体的な構成について説明する。ここでは、吸い込み口３１および吹き出し口３５のより具体的な構成についても説明する。
【００５９】
図７および図８は、頭皮ケア装置１の使用時の状態を模式的に示す図である。図７は、頭皮ケア装置１を側方（Ｘ２側）から見た図である。図８は、頭皮ケア装置１を前方（Ｚ１側）から見た図である。図７および図８において、Ｈ１は、頭皮ケア装置１の使用時における施術箇所との当接面を示す。また、Ｈ２は、頭皮ケア装置１の使用時における把持部３の延伸方向を示す。頭皮ケア装置１の使用時、当接面Ｈ１は、把持部３の延伸方向Ｈ２と略平行となる。
【００６０】
図９は、頭皮ケア装置１を床面（平面Ｈ３）上に載置した状態を示す側面図である。図１０は、頭皮ケア装置１を床面（平面Ｈ３）上に載置した状態を示す断面模式図である。
【００６１】
本実施形態にかかる頭皮ケア装置１では、吹き出し口３５から送出されるイオン（微小粒子）の速度が、約１２ｍ／秒以下となるようにファン７２の出力が制御されている。なお、吹き出し口３５から送出されるイオン（微小粒子）の速度は、約４ｍ／秒以上約１２ｍ／秒以下の範囲内の速度に設定することができる。また、吹き出し口３５から送出されるイオン（微小粒子）の速度は、約４ｍ／秒以上約６ｍ／秒以下とすることが好ましく、約４ｍ／秒とすることがより好ましい。
【００６２】
なお、毛髪を乾燥させる目的で主に使用されるヘアドライヤの風速は、通常、約１２ｍ／秒程度である。吹き出し口３５から送出されるイオン（微小粒子）の速度が１２ｍ／秒を超えると、頭皮および毛髪に対するイオンのトリートメント効果が低下する可能性がある。したがって、本実施形態の頭皮ケア装置１から送出される風およびイオン（微小粒子）の速度は、ヘアドライヤの風速と比較して小さくなっている。
【００６３】
このような吹き出し口３５からの送出速度がより遅い頭皮ケア装置１において、放出されたイオンなどの有効成分をより効果的に施術箇所およびその近傍へ拡散させるために、送風路３２および吹き出し口３５の構成が工夫されている。
【００６４】
すなわち、頭皮ケア装置１では、吹き出し口３５は、イオンが施術箇所との当接部である頭部刺激部２の先端部（すなわち、球状接触部４２および接触面４３）へ向かって送出されるように構成されている。図７および図８では、吹き出し口３５の配置位置に斜線を付して示すとともに、吹き出し口３５からの風及び微小粒子の送出方向を矢印で示している。図７および図８に示すように、吹き出し口３５から放出される空気および微小粒子は、破線の円で囲んで示すように、頭部刺激部２の先端部（すなわち、球状接触部４２および接触面４３）およびその近傍である頭部刺激部２で囲われた領域などへ主として送出される。
【００６５】
また、吹き出し口３５の吹き出し面は、イオンなどの微小粒子の送出方向に対する直交面に対して傾斜している。
【００６６】
図７、図９、および図１０では、吹き出し面の位置に一点鎖線を付している。また、図９には、把持部３内の風の送出方向を破線の矢印で示している。また、図１０には、送風路３２内の風の送出方向を矢印で示している。
【００６７】
各図に示されるように、風および微小粒子の送出方向は、送風路３２の配置方向に沿っており、Ｚ方向に概ね沿っている。そして、微小粒子などの送出方向であるＺ方向の直交面（すなわち、ＸＹ面）に対して、吹き出し口３５の吹き出し面は傾斜している。
【００６８】
なお、図７に示すように、吹き出し口３５の吹き出し面は、頭皮ケア装置１の使用時に、施術箇所との当接面Ｈ１に向かう方向に傾斜している。これにより、吹き出し口３５から送出されるイオンなどの微小粒子を、頭部刺激部２の先端部や頭部刺激部２で囲われた領域へ向けて放出させることができる。
【００６９】
また、頭皮ケア装置１では、吹き出し口３５は、微小粒子の送出方向に向かって滑らかな曲面形状を有している。具体的には、吹き出し口３５の前方側には、上方側（Ｙ１側）へ向かって滑らかな曲面形状をなす上方湾曲面３５ａが設けられている。このような上方湾曲面３５ａが設けられていることで、吹き出し口３５から放出されるイオンなどの微小粒子をより効率的に頭部刺激部２や施術箇所へ送出することができる。そのため、頭皮ケア装置１を使用したときの頭皮および毛髪に対するトリートメント効果を向上させることができる。
【００７０】
また、吹き出し口３５の前方側には、上方湾曲面３５ａに加えて、下方側（Ｙ２側）へ向かって滑らかな曲面形状をなす下方湾曲面３５ｂが設けられている。これにより、吹き出し口３５の前方側の周囲全体が滑らかな湾曲面となり、吹き出し口３５から送出される風の損失量を低下させることができる。
【００７１】
また、吸い込み口３１は、把持部３の下方側（Ｙ２側）の側面に設けられている。図５に示すように、吸い込み口３１は、複数個の細長い開口部で構成されている。これら複数個の開口部は、把持部３の下方側の側面において、幅方向（Ｘ方向）に並んで配置されている。
【００７２】
そして、図９に示すように、頭皮ケア装置１を床面（平面Ｈ３）上に載置した状態では、吸い込み口３１は、床面（載置面）によって塞がれないような位置に設けられている。すなわち、頭皮ケア装置１を側方（例えば、Ｘ１側またはＸ２側）から見たときに、吸い込み口３１を構成している複数の開口部のうちのいくつかが、見える状態となっている。
【００７３】
これにより、頭皮ケア装置１を使用中に一時的に、例えば、テーブルなどの平面上に載置したとしても、吸い込み口３１から十分な空気を送風路３２内へ流入させることができる。したがって、頭皮ケア装置１のファン７２に負荷がかかることを抑えることができる。
【００７４】
また、図１０に示すように、頭皮ケア装置１を床面（平面Ｈ３）上に載置した状態では、吸い込み口３１から吹き出し口３５へと延びる送風路３２は下方側（Ｙ２側）に位置し、制御部７１、バッテリ７６、ファン７２、イオン供給部７５などの各種部品は、上方側（Ｙ１側）に位置している。
【００７５】
そして、吸い込み口３１から送風路３２内へ入った空気は、バッテリ７６に沿って下流側へと送出される。そして、送風路３２のやや上方に配置されたファン７２を通過した後、イオン供給部７５を沿って吹き出し口３５へと送出される。
【００７６】
これにより、バッテリ７６および制御部７１などの近傍を風が通過することとなり、バッテリ７６および制御部７１などを冷却することができる。
【００７７】
また、頭皮ケア装置１の通常の載置状態で、送風路３２を把持部３内の下方側（Ｙ２側）に配置し、制御部７１などの各種部品を把持部３内の上方側（Ｙ１側）に配置することで、吹き出し口３５などから万一水が入った場合に、送風路３２に優先的に水が流入するような構成となる。これにより、把持部３内の各種部品に水が浸入する可能性を低減させることができる。
【００７８】
なお、本実施形態にかかる頭皮ケア装置１において、吹き出し口３５の近傍には、吹き出し口３５の内面を照らすＬＥＤ（発光部）８３が備えられていてもよい（図５参照）。ＬＥＤ８３は、制御部７１によって、発光の開始および停止が制御される。例えば、制御部７１は、頭皮ケア装置１の電源がＯＮされたときにＬＥＤ８３も発光を開始するように制御することができる。
【００７９】
（第１の実施形態のまとめ）
以上のように、本実施形態にかかる頭皮ケア装置１は、頭部刺激部２と、把持部（本体部）３とで構成されている。頭部刺激部２は、把持部３から突出し、かつ、施術箇所に接触する当接部（具体的には、球状接触部４２および接触面４３）を有している。
【００８０】
把持部３内には、イオン（微小粒子）を発生させるイオン供給部７５が備えられている。また、把持部３の前方側（Ｚ１側）には、イオンおよび風を放出する吹き出し口（送出口）３５が設けられている。
【００８１】
このような頭皮ケア装置１において、吹き出し口３５からのイオンの送出速度は、１２ｍ／秒以下となるように設定されている。また、吹き出し口３５は、イオンなどの微小粒子が頭部刺激部２の先端の当接部へ向かって送出されるように構成されている。
【００８２】
以上の構成により、頭皮ケア装置１を稼働させると、吹き出し口３５から送出されるイオンなどの微小粒子および風は、頭部刺激部２の先端部を通過してユーザの施術箇所およびその近傍へ優先的に導かれる。したがって、微小粒子（イオンなどの帯電微粒子や有効成分を含む微小粒子）をより効率的にユーザの頭部に供給することのできる頭皮ケア装置１が得られる。
【００８３】
つまり、本実施形態にかかる頭皮ケア装置１によれば、吹き出し口３５から供給されるイオンを、各付け根部３４の湾曲面、および各棒状部材４１ａおよび４１ｂを通過させて、主としてユーザの施術箇所へ送出することができる。頭皮ケア装置１を使用するユーザは、把持部３から供給されるイオンを含む風を、毛髪または頭皮に当てながら、各棒状部材４１ａおよび４１ｂの先端部を頭皮または毛髪に接触させて施術箇所のマッサージを行うことができる。
【００８４】
また、本実施形態にかかる頭皮ケア装置１では、頭部刺激部２が、右側部材２ａおよび左側部材２ｂという２つの構成部材に分かれている。これにより、押さえつけると各構成部材の間隔が開き、押さえつける力を抜くとこの間隔が狭まるような弾性を持たせることができる。これにより、揉むような感じのマッサージを行うことができる。
【００８５】
さらに、頭部刺激部２では、幅方向（Ｘ方向）の中央側により長い棒状部材４１ｂを配置し、幅方向（Ｘ方向）の外側に長さのより短い棒状部材４１ａを配置している。また、棒状部材４１ｂの先端部は接触面４３となっており、棒状部材４１ａの先端部は球状接触部４２となっている。
【００８６】
この構成により、頭部刺激部２の先端部を施術箇所に当接させたときに、接触面４３を施術箇所へフィットさせて固定した状態とし、頭部刺激部２を用いた施術時の支点とすることができる。そして、この状態で、頭部刺激部２の先端部により大きな力を加えることで、球状接触部４２を有している各棒状部材４１ａを作用点として施術箇所へ押し付けることができる。これにより、施術箇所を揉むような感じのマッサージを行うことができる。
【００８７】
なお、本実施の形態においては、ファンを省略してもよい。この場合、微小粒子発生部で発生した微小粒子は、強制的に施術箇所に向けて送出されないが、頭皮ケア装置を動かす際に、吹き出し口(送出口)周辺に拡散し、施術箇所に到達する。
【００８８】
＜第２の実施形態＞
続いて、本発明の第２の実施形態について説明する。第２の実施形態では、把持部３内にヒータ１７３が設けられている点が第１の実施形態とは異なっている。それ以外の構成については、第１の実施形態と同様の構成を適用することができる。そこで、以下では、第１の実施形態とは異なる構成を中心に説明する。
【００８９】
図１１には、第２の実施形態にかかる頭皮ケア装置１０１を示す。図１２には、頭皮ケア装置１０１の内部構成を示す。
【００９０】
第２の実施形態にかかる頭皮ケア装置１０１は、主として、頭部刺激部２と、把持部（本体部）３とで構成されている。頭部刺激部２の構成については、第１の実施形態と同様の構成が適用できる。
【００９１】
頭皮ケア装置１０１の把持部３内には、制御部７１、ファン７２、イオン供給部（微小粒子発生部）７５、ヒータ１７３、バッテリ７６、および送風路３２などが備えられている。また、把持部３の外周面には、操作部２１、充電端子３８などが備えられている。ヒータ１７３以外の構成については、第１の実施形態と同様の構成が適用できる。
【００９２】
ヒータ１７３は、吸い込み口から把持部３内へ取り込まれた空気を加熱する。ヒータ１７３は、送風路３２内におけるファン７２の下流側に配置されている。
【００９３】
頭皮ケア装置１の稼働時、ヒータ１７３が稼働することで、把持部３の内部に取り込まれた空気が加熱され、吹き出し口３５から温風を送出させることができる。制御部７１は、ヒータ１７３のＯＮ／ＯＦＦを制御する。例えば、ユーザが操作部２１において冷風吹き出しの運転モードを選択したときには、制御部７１は、ヒータ１７３の運転を停止させる。これにより、吹き出し口３５からは、冷風が送出される。また、制御部７１は、吹き出し口３５から温風と冷風とが交互に吹き出されるようにヒータ１７３を制御してもよい。
【００９４】
なお、本実施形態にかかる頭皮ケア装置１０１では、頭部刺激部２の球状接触部４２は、棒状部材４１ａの本体部分よりも熱伝導率が高くなっている。すなわち、球状接触部４２は、棒状部材４１ａの本体部分と比較して、熱が伝わりやすい。そのため、ヒータ１７３が稼働し把持部３から温かい風が吹き出された場合には、球状接触部４２は棒状部材４１ａよりも温度が高くなる傾向にある。一方、把持部３から冷たい風が吹き出された場合には、球状接触部４２は棒状部材４１ａよりも温度が低くなる傾向にある。球状接触部４２は、施術箇所に接触するため、頭皮ケア装置１０１を使用するユーザは、温冷をより感じやすい。
【００９５】
このように、把持部３の吹き出し口３５から温かい風が吹き出された場合には、球状接触部４２は、第１棒状部材４１ａの本体部分よりも温度が高くなる傾向にある。一方、把持部３の吹き出し口３５から冷たい風が吹き出された場合には、球状接触部４２は、第１棒状部材４１ａの本体部分よりも温度が低くなる傾向にある。球状接触部４２は、施術箇所に接触するため、頭皮ケア装置１を使用するユーザは、温冷（温かさまたは冷たさ）をより感じやすい。
【００９６】
したがって、本実施形態にかかる頭皮ケア装置１０１によれば、把持部３から吹き出す風の温冷をより感じやすくすることができ、使用時の快適性をより向上させることができる。
【００９７】
なお、別の態様では、把持部３内には、ヒータ１７３の代わりにペルチェ素子が備えられていてもよい。ペルチェ素子を用いることで、頭部刺激部２の当接部を温めたり冷やしたりすることができる。例えば、ペルチェ素子の作用部側（熱（温熱・冷熱）の発生部）を当接部に伝達可能な位置に配置し、作用部の反対側を送風路３２内に配置することが好ましい。これにより、ペルチェ素子の作用部が吸熱部となるときに、送風路３２内に配置された放熱部側で発生する熱に送風路３２内の風を当てることができる。
【００９８】
＜第３の実施形態＞
続いて、本発明の第３の実施形態について説明する。第３の実施形態では、センサ２４４を有している点が第２の実施形態とは異なっている。それ以外の構成については、第１および第２の実施形態と同様の構成を適用することができる。そこで、以下では、他の実施形態とは異なる構成を中心に説明する。
【００９９】
図１３には、第３の実施形態にかかる頭皮ケア装置２０１の内部構成を示す。図１３に示すように、頭皮ケア装置２０１は、制御部７１、ファン７２、ヒータ１７３、イオン供給部７５、センサ２４４、および操作部２１などを備えている。制御部７１内には、タイマ８１、メモリ８２などが設けられている。センサ２４４以外の構成については、上述した各実施形態と同様の構成が適用できる。
【０１００】
センサ２４４は、例えば、第２棒状部材４１ｂの先端部の内部に埋め込まれている。センサ２４４の種類としては、例えば、水分センサ、油分センサ、感圧センサ、および接触センサなどが挙げられる。これらの各種センサのうち、１種類または複数種類のセンサを適宜選択して、センサ２４４を構成することができる。
【０１０１】
例えば、センサ２４４が水分センサまたは油分センサである場合には、検知したユーザの頭皮の水分量および油分量を測定することができる。これにより、ユーザの頭皮および毛髪の状態を確認することができる。
【０１０２】
センサ２４４が感圧センサである場合には、頭皮ケア装置１の使用時における頭部刺激部２の往復回数を測定することができる。これにより、頭皮ケア装置１によるマッサージの回数を計測することができる。なお、センサ２４４は、第２棒状部材４１ｂの先端部ではなく、付け根部３４の根元に取り付けてもよい。
【０１０３】
また、センサ２４４が接触センサである場合には、センサ２４４は、第２棒状部材４１ｂの先端部の内部に埋め込まれていることが好ましい。そして、第２棒状部材４１ｂの先端の接触面４３が施術箇所などの物体に接触したことがセンサ２４４によって検知されたときに、制御部７１は、頭皮ケア装置１の電源がＯＮするように制御してもよい。
【０１０４】
メモリ８２には、センサ２４４によって取得された検知情報も格納することができる。例えば、センサ２４４が水分センサまたは油分センサである場合には、センサ２４４が検知したユーザの頭皮の水分量および油分量を、使用した日時と対応付けて記憶させることができる。
【０１０５】
以上のように、本実施形態にかかる頭皮ケア装置２０１には、センサ２４４が備えられている。これにより、施術箇所の状態やユーザの使用状態に関する情報を取得することができる。
【０１０６】
（まとめ）
本発明の一局面は、頭皮ケア装置（例えば、頭皮ケア装置１・１０１・２０１）に関する。この頭皮ケア装置は、本体部（例えば、把持部３）と、頭部刺激部２とを備えている。本体部は、微小粒子発生部（例えば、イオン供給部７５）と、前記微小粒子発生部から発生した微小粒子を放出する送出口（例えば、吹き出し口３５）とを有している。頭部刺激部２は、前記本体部から突出し、かつ、施術箇所に接触する当接部（例えば、球状接触部４２、接触面４３）を有している。この頭皮ケア装置１において、吹き出し口３５からの微小粒子の送出速度は、１２ｍ／秒以下となっている。また、吹き出し口３５は、微小粒子が頭部刺激部２の当接部へ向かって送出されるように構成されている。
【０１０７】
この頭皮ケア装置１において、吹き出し口３５からの微小粒子の送出速度は、４ｍ／秒以上６ｍ／秒以下となっていることが好ましい。微小粒子の送出速度をこのような範囲とすることで、微小粒子による頭皮および毛髪へのトリートメント効果を向上させることができる。
【０１０８】
微小粒子発生部から発生する微小粒子としては、例えば、帯電微小粒子（イオン）、ヒアルロン酸などの有効成分を含有する微小粒子、芳香成分を含有する微小粒子などが挙げられる。
【０１０９】
帯電微小粒子を発生させる微小粒子発生部としては、例えば、第１実施形態で説明したイオン供給部７５が挙げられる。第１の実施形態では、正（＋）イオンおよび負（−）イオンの両方を発生させるイオン供給部７５を例に挙げて説明したが、イオン供給部７５から発生するイオンは、正（＋）イオンおよび負（−）イオンの何れか一方であってもよい。
【０１１０】
上記の本発明の一局面にかかる頭皮ケア装置において、前記送出口は、前記微小粒子の送出方向に対する直交面に対して傾斜していてもよい。
【０１１１】
上記の本発明の一局面にかかる頭皮ケア装置において、前記送出口は、前記微小粒子の送出方向に向かって滑らかな曲面形状を有していてもよい。この構成の一例として、第１の実施形態で説明した上方湾曲面３５ａが挙げられる。
【０１１２】
上記の本発明の一局面にかかる頭皮ケア装置は、前記微小粒子発生部を制御する制御部（例えば、制御部７１）をさらに備えていてもよい。そして、前記本体部において、前記頭部刺激部が接続されている側を第１側とし、前記第１側に対向する側を第２側とすると、前記制御部は、前記第１側に配置されており、前記送出口は、前記第２側に配置されていてもよい。
【０１１３】
この構成の一例として、頭部刺激部２が把持部３の上方側（Ｙ１側）で把持部３と接続されている構成が挙げられる（図１など参照）。そして、制御部７１は、把持部３内の上方側（Ｙ１側）に配置されており、吹き出し口３５は、把持部３の前方部の下方側（Ｙ２側）に配置されている。つまり、この構成では、上方側（Ｙ１側）が、前記第１側に相当し、下方側（Ｙ２側）が前記第２側に相当する。
【０１１４】
上記の本発明の一局面にかかる頭皮ケア装置において、前記本体部は、吸気口（例えば、吸い込み口３１）を有しており、前記吸気口は、前記頭皮ケア装置の載置時に載置面によって塞がれないような位置に設けられていてもよい。この構成の一例として、図９に示すように、曲面形状を有する把持部３の下方側の側面に、吸い込み口３１が幅方向（Ｘ方向）にある程度の範囲にわたって形成されている構成が挙げられる。
【０１１５】
上記の本発明の一局面にかかる頭皮ケア装置は、前記微小粒子発生部を制御する制御部（例えば、制御部７１）と、前記制御部へ電気を供給する電源部（例えば、バッテリ７６）とをさらに備えていてもよい。そして、前記本体部に設けられた吸気口から前記本体部内へ入った空気は、前記制御部および前記電源部の少なくとも何れかに沿って前記送出口の方へ送出されてもよい。
【０１１６】
上記の本発明の一局面にかかる頭皮ケア装置には、前記送出口を分割する壁部（例えば、リブ３６）が設けられていてもよい。
【０１１７】
なお、本発明の一局面にかかる頭皮ケア装置は、棒状部材が頭皮のみならず毛髪にも接触する。そのため、頭皮だけでなく毛髪のケアなどの用途にも用いられる。したがって、本発明の一局面では、頭皮ケア装置は、ヘアケア装置とも呼ばれる。
【０１１８】
なお、本発明の一局面にかかる頭皮ケア装置は、ファンを備えていてもよい。
【０１１９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、本明細書で説明した異なる実施形態の構成を互いに組み合わせて得られる構成についても、本発明の範疇に含まれる。
【符号の説明】
【０１２０】
１    ：頭皮ケア装置
２    ：頭部刺激部
２ａ  ：右側部材
２ｂ  ：左側部材
３    ：把持部（本体部）
２１  ：操作部
３１  ：吸い込み口（吸気口）
３４  ：付け根部
３５  ：吹き出し口（送出口）
３５ａ：上方湾曲面
３５ｂ：下方湾曲面
３６  ：リブ（壁部）
４１ａ：第１棒状部材
４１ｂ：第２棒状部材
４２  ：球状接触部（当接部）
４３  ：接触面（当接部）
７１  ：制御部
７２  ：ファン
７５  ：イオン供給部（微小粒子発生部）
７６  ：バッテリ（電源部）
１０１：頭皮ケア装置
１７３：ヒータ
２０１：頭皮ケア装置
２４４：センサ
【図１】
2020031823.tif 000003
【図２】
2020031823.tif 000004
【図３】
2020031823.tif 000005
【図４】
2020031823.tif 000006
【図５】
2020031823.tif 000007
【図６】
2020031823.tif 000008
【図７】
2020031823.tif 000009
【図８】
2020031823.tif 000010
【図９】
2020031823.tif 000011
【図１０】
2020031823.tif 000012
【図１１】
2020031823.tif 000013
【図１２】
2020031823.tif 000014
【図１３】
2020031823.tif 000015
【国際調査報告】
2020031823.tif 000016
2020031823.tif 000017
2020031823.tif 000018
2020031823.tif 000019